(57)【要約】【課題】ドアの施錠忘れを発生し難くすることができるドア錠制御システムを提供する。【解決手段】建物１は、電子キー４の正当性をスマート照合により確認するドア錠制御システム５を備える。また、ドア２には、室外人検知センサ１６及び室内人検知センサ１７が設けられる。ドア錠制御システム５は、スマート照合の認証結果と、室外人検知センサ１６及び室内人検知センサ１７の状態とを監視し、ドア２付近に人がいなくなったと判断したとき、ドア錠３が即座又は一定時間後に施錠される。すなわち、ドア解錠時において、ドア２を施錠すべき所定の条件が揃うと、ユーザ自らの行為によらず、ドア２が自動で施錠される。【選択図】図１
2015206212.tif 000002
【特許請求の範囲】
【請求項１】
建物のドアに設けられたドア錠を電子キーによって無線により作動可能なドア錠制御システムにおいて、
前記電子キー及び建物が無線により実行した無線認証の結果を取得する認証結果取得部と、
室外のドア付近に人がいるか否かを検出する室外人検知センサの検出信号と、室内のドア付近に人がいるか否かを検出する室内人検知センサの検出信号とを基に、ドア付近における人の有無を判断する人有無監視部と、
前記無線認証の結果を確認しつつ、前記室外人検知センサ及び室内人検知センサの検出信号により人の動きを監視しながら、ドア付近に人がいなくなったと判断したとき、前記ドア錠を即座又は一定時間後に施錠する錠制御部と
を備えたことを特徴とするドア錠制御システム。
【請求項２】
前記錠制御部は、人が室外から室内に入ってドア付近からいなくなったと判断すると、前記ドア錠を即座又は一定時間後に施錠する
ことを特徴とする請求項１に記載のドア錠制御システム。
【請求項３】
前記錠制御部は、
（Ａ）前記室外人検知センサが人を検知し、前記無線認証が成立に切り替わること
（Ｂ）前記ドアが解錠されること
（Ｃ）前記ドアを開けて室内に入り、当該ドアを閉めること
（Ｄ）ドア閉後、前記室内人検知センサが人を検知しなくなり、それまで成立していた前記無線認証が不成立になること
という（Ａ）〜（Ｄ）を検出すると、前記ドア錠を即座又は一定時間後に施錠する
ことを特徴とする請求項１又は２に記載のドア錠制御システム。
【請求項４】
前記錠制御部は、人が室内から室外に出てドア付近からいなくなったと判断すると、前記ドアを即座又は一定時間後に施錠する
ことを特徴とする請求項１〜３のうちいずれか一項に記載のドア錠制御システム。
【請求項５】
前記錠制御部は、
（Ａ’）前記室内人検知センサが人を検知し、前記無線認証が成立に切り替わること
（Ｂ’）前記ドアが解錠されること
（Ｃ’）前記ドアを開けて室外に出て、当該ドアを閉めること
（Ｄ’）ドア閉後、前記室外人検知センサが人を検知しなくなり、それまで成立していた前記無線認証が不成立になること
という（Ａ’）〜（Ｄ’）を検出すると、前記ドア錠を即座又は一定時間後に施錠する
ことを特徴とする請求項１〜４のうちいずれか一項に記載のドア錠制御システム。
【発明の詳細な説明】
【技術分野】
【０００１】
本発明は、ドア錠の作動を制御するドア錠制御システムに関する。
【背景技術】
【０００２】
従来、建物のドアに設けられたドア錠の施解錠を制御するドア錠制御システムが周知である（特許文献１等参照）。ドア錠の作動に電子キーの操作を課さないキーフリー操作によって、ドア錠を施解錠することが可能である。
【先行技術文献】
【特許文献】
【０００３】
【特許文献１】特開２００７−１６２３１０号公報
【発明の概要】
【発明が解決しようとする課題】
【０００４】
キーフリー操作でドアを施錠するにあたり、室外から室内に入室した場合には、ドアに設けたサムターンを操作することでドアを施錠に切り替え、室内から室外に退室した場合には、ドアの外壁に設けられたドア錠操作部（施解錠スイッチ）を操作することでドアを施錠に切り替えるのが一般的である。このように、ドアを施錠するにあたっては、サムターンやドア錠操作部の操作が必要であるので、施錠を忘れてしまう可能性があった。
【０００５】
本発明の目的は、ドアの施錠忘れを発生し難くすることができるドア錠制御システムを提供することにある。
【課題を解決するための手段】
【０００６】
前記問題点を解決するドア錠制御システムは、建物のドアに設けられたドア錠を電子キーによって無線により作動可能な構成において、前記電子キー及び建物が無線により実行した無線認証の結果を取得する認証結果取得部と、室外のドア付近に人がいるか否かを検出する室外人検知センサの検出信号と、室内のドア付近に人がいるか否かを検出する室内人検知センサの検出信号とを基に、ドア付近における人の有無を判断する人有無監視部と、前記無線認証の結果を確認しつつ、前記室外人検知センサ及び室内人検知センサの検出信号により人の動きを監視しながら、ドア付近に人がいなくなったと判断したとき、前記ドア錠を即座又は一定時間後に施錠する錠制御部とを備えた。
【０００７】
本構成によれば、無線認証の結果確認と、室外人検知センサ及び室内人検知センサの検出信号とを基に、ドア付近に人がいなくなったと判断されたとき、ドア錠が即座又は一定時間後に施錠される。すなわち、ドア解錠時においてドアを施錠すべき所定の条件が揃うと、ユーザ自らの行為によらず、ドアが自動で施錠される。よって、ドアの施錠忘れを発生し難くすることが可能となる。
【０００８】
前記ドア錠制御システムにおいて、前記錠制御部は、人が室外から室内に入ってドア付近からいなくなったと判断すると、前記ドア錠を即座又は一定時間後に施錠することが好ましい。この構成によれば、ユーザが建物内に入室したとき、ドアを施錠し忘れる状況を生じ難くすることが可能となる。
【０００９】
前記ドア錠制御システムにおいて、前記錠制御部は、（Ａ）前記室外人検知センサが人を検知し、前記無線認証が成立に切り替わること、（Ｂ）前記ドアが解錠されること、（Ｃ）前記ドアを開けて室内に入り、当該ドアを閉めること、（Ｄ）ドア閉後、前記室内人検知センサが人を検知しなくなり、それまで成立していた前記無線認証が不成立になることという（Ａ）〜（Ｄ）を検出すると、前記ドア錠を即座又は一定時間後に施錠することが好ましい。この構成によれば、ユーザが入室したときにドアを自動で施錠するにあたり、これを好適なタイミングで実施することが可能となる。
【００１０】
前記ドア錠制御システムにおいて、前記錠制御部は、人が室内から室外に出てドア付近からいなくなったと判断すると、前記ドアを即座又は一定時間後に施錠することが好ましい。この構成によれば、ユーザが建物から退出したとき、ドア錠を施錠し忘れる状況を生じ難くすることが可能となる。
【００１１】
前記ドア錠制御システムにおいて、前記錠制御部は、（Ａ’）前記室内人検知センサが人を検知し、前記無線認証が成立に切り替わること、（Ｂ’）前記ドアが解錠されること、（Ｃ’）前記ドアを開けて室外に出て、当該ドアを閉めること、（Ｄ’）ドア閉後、前記室外人検知センサが人を検知しなくなり、それまで成立していた前記無線認証が不成立になることという（Ａ’）〜（Ｄ’）を検出すると、前記ドア錠を即座又は一定時間後に施錠することが好ましい。この構成によれば、ユーザが退室したときにドアを自動で施錠するにあたり、これを好適なタイミングで実施することが可能となる。
【発明の効果】
【００１２】
本発明によれば、ドアの施錠忘れを発生し難くすることができる。
【図面の簡単な説明】
【００１３】
【図１】一実施形態のドア錠制御システムの構成図。
【図２】（ａ），（ｂ）はキーフリー操作の具体例を示す概要図。
【図３】人検知エリアの概要図。
【図４】（ａ）〜（ｄ）は室外から室内に入室した後にドアが自動で施錠されるまでの流れを示す説明図。
【図５】（ａ）〜（ｄ）は室内から室外に退室した後にドアが自動で施錠されるまでの流れを示す説明図。
【発明を実施するための形態】
【００１４】
以下、ドア錠制御システムの一実施形態を図１〜図５に従って説明する。
図１に示すように、建物１は、建物１のドア２に設けられたドア錠３を電子キー４によって無線により作動可能なドア錠制御システム５を備える。ドア錠制御システム５は、例えば狭い通信エリア下で建物１からの通信を契機にＩＤ照合を実行してドア錠３を制御するキー操作フリーシステムであることが好ましい。ドア錠制御システム５は、例えばドア錠３の施錠及び解錠の両方を制御するものであるとよい。
【００１５】
なお、以降は、キー操作フリーシステムによるドア錠３の操作を「キーフリー操作」と記す。また、キー操作フリーシステムの通信を「スマート通信」と記し、その通信で実施されるＩＤ照合を「スマート照合」と記す。
【００１６】
キー操作フリーシステムの通信は、例えば建物１→電子キー４の通信がＬＦ（Low Frequency）帯の電波、電子キー４→建物１の通信がＵＨＦ（Ultra High Frequency）帯の電波を使用した双方向の狭域通信（通信距離：数ｍ）であるとよい。キーフリー操作は、例えば電子キー４を操作しなくても、キー操作フリーシステムに準じたスマート照合が成立すれば、ドア錠３の作動が許可又は実行される操作である。
【００１７】
電子キー４は、電子キー４の動作を制御するキー制御部６と、電子キー４において電波を受信する受信アンテナ７と、電子キー４において電波を送信する送信アンテナ８とを備える。キー制御部６のメモリ９には、電子キー４の固有ＩＤである電子キーＩＤが書き込み保存されている。受信アンテナ７は、例えばＬＦ電波を受信する。送信アンテナ８は、例えばＵＨＦ電波を送信する。
【００１８】
ドア錠制御システム５は、前述のドア錠３と、ドア２の動作を制御するドア制御部１０と、ドア２の周囲に電波を送信する送信アンテナ１１と、ドア２の周囲で電波を受信する受信アンテナ１２と、ドア錠３を作動させるときに操作するドア錠操作部１３とを備える。ドア制御部１０のメモリ１４には、ドア２に登録された電子キーＩＤが書き込み保存されている。送信アンテナ１１は、例えばＬＦ電波を送信する。受信アンテナ１２は、例えばＵＨＦ電波を受信する。送信アンテナ１１及び受信アンテナ１２は、例えば建物１の壁に配設されてもよい。ドア錠３は、例えばアクチュエータを駆動源にデッドボルトを出し入れする電気錠であるとよい。ドア制御部１０は、例えば基板上にＩＣ及びスイッチの素子類が実装された制御盤であるとよい。ドア錠操作部１３は、例えば操作される度にドア錠３の施解錠が切り替わる施解錠スイッチであるとよい。
【００１９】
図２（ａ），（ｂ）に示すように、ドア制御部１０は、送信アンテナ１１の通信エリア（スマート通信エリア）Ｅ１をドア２の周囲に形成する。スマート通信エリアＥ１は、例えば送信アンテナ１１をドア２に配設することにより、ドア２を中心とした一円にＬＦ電波により形成されるとよい。このように、スマート通信エリアＥ１は、ドア２を挟んだ建物１の室内外に亘って一帯に形成されるとよい。
【００２０】
電子キー４が送信アンテナ１１のスマート通信エリアＥ１に進入すると、スマート通信が実行される。具体的には、送信アンテナ１１から送信されたウェイク信号を電子キー４が受信すると、電子キー４が起動してアックを返信し、続く通信課程において、ドアＩＤ照合、チャレンジレスポンス認証、電子キーＩＤ照合の各種照合を実行する。ドアＩＤ照合は、各ドア２の固有ＩＤであるドアＩＤ（図示略）を電子キー４に送信し、電子キー４にドアＩＤを確認させる照合である。チャレンジレスポンス認証は、送信の度にコードが毎回変わるチャレンジコードをドア２から電子キー４に送信して電子キー４の暗号鍵に通し、このレスポンスコードをドア２に返信させ、ドア２において同様に演算したレスポンスコードにより、電子キー４のレスポンスコードの正当性を確認する照合である。電子キーＩＤ照合は、電子キー４に登録された電子キーＩＤの正当性をドア２で確認する照合である。ドア制御部１０は、これら照合が全て成立することを確認すると、スマート照合を成立とし、ドア２の施解錠を許可する。これにより、ドア錠操作部１３を操作すれば、ドア錠３の施解錠が切り替わる。
【００２１】
ちなみに、ドア錠３の状態が切り替わったとき、ドア２（ドア２の外壁）に設けられた表示部１５を点灯又は点滅させて、ドア錠３の施解錠が切り替わった旨をユーザに通知してもよい。この表示動作は、ドア錠３が解錠又は施錠のどちらをとったのかが分かるように、解錠及び施錠のそれぞれで異なる表示態様をとるとよい。
【００２２】
図３に示すように、ドア錠制御システム５は、室外のドア付近において人の有無を検知する室外人検知センサ１６と、室内のドア付近において人の有無を検知する室内人検知センサ１７とを備える。室外人検知センサ１６及び室内人検知センサ１７は、ドア２の周囲に人の有無を検知できるエリアとして人検知エリアＥ２を形成する。室外人検知センサ１６は、例えばドア２の外壁２ａに取り付けられ、外壁２ａからの所定距離が室外人検知エリアＥ２−ａが形成される。室内人検知センサ１７は、例えばドア２の内壁２ｂに取り付けられ、内壁２ｂからの所定距離が室内人検知エリアＥ２−ｂが形成される。室外人検知エリアＥ２−ａ及び室内人検知エリアＥ２−ｂは、同じ範囲としてもよいし、範囲が異なっていてもよい。室外人検知センサ１６及び室内人検知センサ１７は、人検知の検知結果である検出信号Ｓａ，Ｓｂをドア制御部１０に出力する。
【００２３】
図１に戻り、ドア錠制御システム５は、建物１及び電子キー４が無線により実行した無線認証（一例はスマート照合）の結果を取得する認証結果取得部１８を備える。認証結果取得部１８は、例えばドア制御部１０に設けられる。認証結果取得部１８は、前述の認証ロジックをとるスマート照合が成立するか否かを確認することが好ましい。
【００２４】
ドア錠制御システム５は、室外人検知センサ１６及び室内人検知センサ１７のセンサ出力を基にドア２付近における人の有無を判断する人有無監視部１９を備える。人有無監視部１９は、例えばドア制御部１０に設けられる。人有無監視部１９は、室外人検知センサ１６の検出信号Ｓａと、室内人検知センサ１７の検出信号Ｓｂとを基に、ドア２付近に人がいるか否かを監視する。
【００２５】
ドア錠制御システム５は、無線認証（一例はスマート照合）の認証結果と人有無の監視結果とを基にドア錠３の作動を制御する錠制御部２０を備える。錠制御部２０は、例えばドア制御部１０に設けられる。錠制御部２０は、無線認証（スマート照合）の結果を確認しつつ、室外人検知センサ１６及び室内人検知センサ１７の検出信号Ｓａ，Ｓｂにより人の動きを監視しながら、ドア２付近に人がいなくなったと判断したとき、解錠されているドア錠３を、即座又は一定時間後に施錠する。
【００２６】
次に、図４及び図５を用いて、ドア錠制御システム５の動作を説明する。
［ユーザ帰宅時の動作］
図４（ａ）に示すように、ドア２が施錠状態のとき、ドア制御部１０は、送信アンテナ１１からウェイク信号の送信を断続的に実行し、ドア２の周囲にウェイク信号のスマート通信エリアＥ１を形成する。ユーザが帰宅するとき、電子キー４を所持して室外からドア２に近づき、スマート通信エリアＥ１に進入する。電子キー４がスマート通信エリアＥ１に進入すると、電子キー４及びドア制御部１０がスマート照合を実行し、電子キー４が正規キーであれば、スマート照合が成立する。これにより、認証結果取得部１８は、「スマート照合成立」の認証結果を取得する。
【００２７】
また、ユーザが室外においてドア２に近づき、室外人検知エリアＥ２−ａに進入すれば、室外人検知センサ１６が人を検知する。すなわち、人有無監視部１９は、室外人検知センサ１６の検出信号Ｓａを基に、室外のドア２付近に人がいることを認識する。以上により、錠制御部２０は、「（Ａ）室外人検知センサ１６が人を検知し、無線認証（スマート照合）が成立に切り替わること」を検知する。
【００２８】
図４（ｂ）に示すように、室外においてドア２に近づいたユーザは、ドア錠３を解錠しようとドア錠操作部１３を操作する。このとき、スマート照合が成立していれば、施錠状態のドア錠３が解錠される。そして、錠制御部２０は、例えばドア錠３の動作状態を確認することにより、「（Ｂ）ドア錠３が解錠されること」を検知する。なお、（Ｂ）は、例えば「キーフリー操作によりドア錠３が解錠されること」であるとよい。
【００２９】
図４（ｃ）に示すように、ドア錠３を解錠した後、ユーザは、ドア２を開けて入室し、ドア２を閉じる。このとき、錠制御部２０は、人検知が室外→室内に切り替わり、かつドア開閉センサやドア開閉スイッチ（ともに図示略）の出力信号からドア閉の切り替わりを確認すると、「（Ｃ）ドア２を開けて室内に入り、ドア２を閉めること」を検知する。
【００３０】
図４（ｄ）に示すように、入室したユーザが電子キー４を所持したまま更に奥に移動し、電子キー４がスマート通信エリアＥ１から外れ、ユーザが室内人検知エリアＥ２−ｂから外れたとする。これにより、認証結果取得部１８は、「スマート照合不成立」の認証結果を取得する。また、人有無監視部１９は、室内人検知センサ１７の検出信号Ｓｂを基に、人が室内人検知エリアＥ２−ｂからいなくなったことを検知する。以上により、錠制御部２０は、「（Ｄ）ドア閉後、室内人検知センサ１７が人を検知しなくなり、それまで成立していた無線認証（スマート照合）が不成立になること」を検知する。
【００３１】
錠制御部２０は、前述の（Ａ）〜（Ｄ）を検出すると、ドア錠３を即座又は一定時間後、自動的に施錠する。このため、ユーザ帰宅時に、ドア錠３を施錠し忘れてしまう状況を生じ難くすることが可能となる。
【００３２】
なお、錠制御部２０は、前述の（Ａ）〜（Ｄ）を検出したとき、室外人検知センサ１６で人を検知していれば、ドア錠３を施錠しないようにしてもよい。こうすれば、複数人が入室する状況、いわゆる「共連れの入室」に対応することが可能となり、複数人のユーザをスムーズに建物１内に入室させることが可能となる。
【００３３】
［ユーザ外出時の動作］
図５（ａ）に示すように、ユーザが外出するとき、電子キー４を所持して室内からドア２に近づき、スマート通信エリアＥ１に進入する。電子キー４がスマート通信エリアＥ１に進入すると、電子キー４及びドア制御部１０がスマート照合を実行し、電子キー４が正規キーであれば、スマート照合が成立する。これにより、認証結果取得部１８は、「スマート照合成立」の認証結果を取得する。
【００３４】
また、ユーザが室内においてドア２に近づき、室内人検知エリアＥ２−ｂに進入すれば、室内人検知センサ１７が人を検知する。すなわち、人有無監視部１９は、室内人検知センサ１７の検出信号Ｓｂを基に、室内のドア２付近に人がいることを認識する。以上により、錠制御部２０は、「（Ａ’）室内人検知センサ１７が人を検知し、無線認証（スマート照合）が成立に切り替わること」を検知する。
【００３５】
図５（ｂ）に示すように、室内においてドア２に近づいたユーザは、ドア錠３を解錠しようと、ドア２の内壁２ｂに配設されたサムターン２１を解錠操作する。サムターン２１は、例えばメインサムターン２１ａ及びサブサムターン２１ｂの２つあることが好ましい。このとき、サムターン２１が操作されれば、スマート照合が成立する又はしないにかかわらず、施錠状態のドア錠３が解錠される。そして、錠制御部２０は、例えばドア錠３の動作状態を確認することにより、「（Ｂ’）ドア錠３が解錠されること」を検知する。なお、（Ｂ’）は、例えば「室内のサムターン２１の操作によりドア錠３が解錠されること」であるとよい。
【００３６】
図５（ｃ）に示すように、ドア錠３を解錠した後、ユーザは、ドア２を開けて退室し、ドア２を閉じる。このとき、錠制御部２０は、人検知が室内→室外に切り替わり、かつドア開閉センサやドア開閉スイッチ（ともに図示略）の出力信号からドア閉への切り替わりを確認すると、「（Ｃ’）ドア２を開けて室外に出て、ドア２を閉めること」を検知する。
【００３７】
図５（ｄ）に示すように、退室したユーザが電子キー４を所持したまま更にドア２から遠ざかり、電子キー４がスマート通信エリアＥ１から外れ、ユーザが室外人検知エリアＥ２−ａから外れたとする。これにより、認証結果取得部１８は、「スマート照合不成立」の認証結果を取得する。また、人有無監視部１９は、室外人検知センサ１６の検出信号Ｓａを基に、人が室外人検知エリアＥ２−ａからいなくなったことを検知する。以上により、錠制御部２０は、「（Ｄ’）ドア閉後、室外人検知センサ１６が人を検知しなくなり、それまで成立していた無線認証（スマート照合）が不成立になること」を検知する。
【００３８】
錠制御部２０は、前述の（Ａ’）〜（Ｄ’）を検出すると、ドア錠３を即座又は一定時間後、自動的に施錠する。このため、ユーザ外出時に、ドア錠３を施錠し忘れてしまう状況を生じ難くすることが可能となる。
【００３９】
なお、錠制御部２０は、前述の（Ａ’）〜（Ｄ’）を検出したとき、室内人検知センサ１７で人を検知していれば、ドア錠３を施錠しないようにしてもよい。こうすれば、複数人が退室する状況、いわゆる「共連れの退室」に対応することが可能となり、複数人のユーザをスムーズに建物１外に退室させることが可能となる。
【００４０】
本実施形態の構成によれば、以下に記載の効果を得ることができる。
（１）スマート照合の認証結果と、室外人検知センサ１６及び室内人検知センサ１７の状態とを監視し、ドア２付近に人がいなくなったと判断したとき、ドア錠３が即座又は一定時間後に施錠される。すなわち、ドア解錠時において、ドア２を施錠すべき所定の条件が揃うと、ユーザ自らの行為によらず、ドア２が自動で施錠される。よって、ドア２の施錠忘れを生じ難くすることができる。
【００４１】
（２）電子キー４を所持した人が室外から室内に入り、ドア２が解錠されたままの状態で人がドア２の近傍からいなくなると、ドア２が自動で施錠される。よって、ユーザが建物１内に入室したとき、ドア２を施錠し忘れる状況を生じ難くすることができる。
【００４２】
（３）ユーザが入室したときにドア２を自動施錠する条件を、前述の（Ａ）〜（Ｄ）を検出することとした。よって、ユーザが入室したときにドア２を自動で施錠するにあたり、これを好適なタイミングで実施することができる。
【００４３】
（４）電子キー４を所持した人が室内から室外に出て、ドア２が解錠されたままの状態で人がドア２の近傍からいなくなると、ドア２が自動で施錠される。よって、ユーザが建物１から退室したとき、ドア２を施錠し忘れる状況を生じ難くすることができる。
【００４４】
（５）ユーザが退室するときにドア２を自動施錠する条件を、前述の（Ａ’）〜（Ｄ’）を検出することとした。よって、ユーザが退室したときにドア２を自動で施錠するにあたり、これを好適なタイミングで実施することができる。
【００４５】
なお、実施形態はこれまでに述べた構成に限らず、以下の態様に変更してもよい。
・室外人検知センサ１６及び室内人検知センサ１７は、ドア２に取り付けられることに限らず、例えば建物１の壁に取り付けられてもよい。
【００４６】
・スマート通信エリアＥ１及び人検知エリアＥ２は、大小が逆でもよい。
・条件（Ａ）において、スマート照合成立の確認を行わずに室外人検知のみ確認してもよい。この場合、条件（Ｂ）においてスマート照合を実施して、これが成立するか否かを確認するとよい。なお、この考え方は条件（Ａ’），（Ｂ’）でも同様に適用できる。
【００４７】
・条件（Ａ）において、室外人検知を実施せずにスマート照合が成立するか否かのみ確認してもよい。この場合、条件（Ｂ）において室外人検知を実施し、人が室外にいるか否かを確認するとよい。なお、この考え方は条件（Ａ’），（Ｂ’）でも同様に適用できる。
【００４８】
・ドア制御部１０等の部品群は、ドア２に設けられることに限らず、例えば建物１の外壁など、他の場所に設けられてもよい。
・室外のドア錠操作部１３は、スイッチやボタンなど種々のものが採用できる。また、ドア錠操作部１３は、例えばタッチセンサ、人感センサ、超音波センサなどの種々のセンサとしてもよい。
【００４９】
・室内のドア錠操作部は、サムターン２１に限定されず、スイッチ、ボタン、センサなど、種々の部材が採用可能である。
・キーフリー操作は、例えばＲＦＩＤ（Radio Frequency IDentification）を用いたシステム、近距離無線を用いたシステム、ブルートゥース（Bluetooth：登録商標）を用いたシステムなど、種々の認証システムを採用することができる。
【００５０】
・キーフリー操作は、建物１からの通信を契機に実施されるＩＤ照合が課された操作であればよい。
・建物１側の送信アンテナ１１は、ドア２に設けられることに限らず、例えば建物１の壁など、他の位置に配置可能である。
【００５１】
・スマート通信エリアＥ１は、例えば建物１に室外送信アンテナ及び室内送信アンテナをそれぞれ設けることにより、各アンテナによって別々のエリアから形成されてもよい。
・建物１に室外送信アンテナ及び室内送信アンテナを設ける場合、これらのうち一方のみ設けられる態様をとってもよい。ちなみに、この場合は、電子キー４が室外にあるか否かを判定する室外判定、又は電子キー４が室内にあるか否かを判定する室内判定の一方のみ実施することができる。
【００５２】
・ＩＤ照合の電波の周波数は、ＬＦやＵＨＦ以外の他の周波数に変更可能である。
・電子キー４は、キー専用の端末に限定されず、例えばキー機能を有する高機能携帯電話等の携帯端末としてもよい。
【００５３】
・建物１側のアンテナは、送信と受信とで分かれていることに限らず、送受信の両方が可能な１本のアンテナとしてもよい。
・建物１は、１つであることに限らず、複数設けられてもよい。
【符号の説明】
【００５４】
１…建物、２…ドア、３…ドア錠、４…電子キー、５…ドア錠制御システム、１６…室外人検知センサ、１７…室内人検知センサ、１８…認証結果取得部、１９…人有無監視部、２０…錠制御部、Ｓａ，Ｓｂ…検出信号。
【図１】
2015206212.tif 000003
【図２】
2015206212.tif 000004
【図３】
2015206212.tif 000005
【図４】
2015206212.tif 000006
【図５】
2015206212.tif 000007